(57)【特許請求の範囲】
【請求項１】
基台の底面の短手方向に形成された溝の内側にプラグイン端子を備え、前記基台の上面にブレーカを取り付けて前記プラグイン端子と電気的に接続し、基台の長手方向両端にレールに固定するための取付片を形成して成るプラグインユニットにおいて、前記基台の取付片に指を掛けるための凹部を形成した把手を設け、該把手を持って、前記プラグインユニットの着脱が可能であることを特徴とするプラグインユニット。
【発明の詳細な説明】
【技術分野】
【０００１】
本発明は、基台の底面にプラグイン端子を備え、上面にブレーカを取り付けて成るプラグインユニットに関する。
【背景技術】
【０００２】
従来、プラグインユニットは基台の底面の短手方向に形成された溝の内側にプラグイン端子を備え、基台の上面にブレーカを取り付けてブレーカの電源側端子とプラグイン端子とを接続バーにより電気的に接続して成り、分電盤に配設された３本の導電バーにプラグイン端子を嵌合させ、３本の導電バーの外側に並設されたレールに基台の長手方向両端に形成された取付片を当接させて螺着して固定していた（例えば、特許文献１参照。）。
【０００３】
【特許文献１】特開２００６−９２９１３号公報（図１）
【発明の開示】
【発明が解決しようとする課題】
【０００４】
通常、プラグインユニットは定格電流の大きい大型のブレーカが取り付けられるので、プラグイン端子も大きくて非常に硬く形成されており、取り付け、取り外しの際に強い力が必要となる。プラグインユニットを導電バーに取り付ける際にはブレーカの表面、若しくは基台の取付片に手のひらを当てて押し込むが、ブレーカの表面は凸凹しているし、取付片は手のひらを当てるスペースが少ないので力を入れると手が痛くなり、また、プラグインユニットは導電バーに直交して隙間なく並設されるので導電バーから取り外す際には取付片に指を掛けて引っ張ることになるが、取付片の端部はレールから少ししか突出していないため力が入れづらく、無理に力を掛けると指が痛くなるなど、プラグインユニットの取り付け、取り外し作業が非常に困難になっていた。
【課題を解決するための手段】
【０００５】
本発明は、基台の底面の短手方向に形成された溝の内側にプラグイン端子を備え、基台の上面にブレーカを取り付けてプラグイン端子と電気的に接続し、基台の長手方向両端にレールに固定するための取付片を形成して成るプラグインユニットにおいて、基台の取付片に指を掛けるための凹部を形成した把手を設け、把手を持って、プラグインユニットの着脱が可能であることを特徴とする。
【発明の効果】
【０００６】
本発明によれば、プラグインユニットの取り付け・取り外し作業性が向上するという効果がある。
【発明を実施するための最良の形態】
【０００７】
プラグインユニットは基台の底面の短手方向に形成された溝の内側にプラグイン端子を設け、基台の上面にブレーカを設け、プラグイン端子とブレーカの電源側端子とを接続バーにより電気的に接続し、基台の長手方向両端にレールに固定するための取付片を形成して成り、基台の取付片に把手を設ける。
【実施例１】
【０００８】
本発明に係るプラグインユニットの実施例１を図１及び図２の添付図面に基づいて説明する。
【０００９】
プラグインユニット１は基台２の底面の短手方向に溝３が形成され、溝３の内側にはクリップ形状のプラグイン端子４が設けられている。プラグイン端子４は接続バー５の一端が接続され、他端が基台２の上面に取り付けられるブレーカ６の電源側端子７に接続され、接続バー５によりプラグイン端子４とブレーカ６の電源側端子７とが電気的に接続される。
【００１０】
また、基台２の長手方向両端にはプラグインユニット１を後述するレールに固定するための取付片８が設けられ、取付片８の側面から水平に突出する把手１０が設けられている。把手１０は図２に示すように指を掛けるための凹部１０ａが形成されている。
【００１１】
プラグインユニット１は分電盤に配設された３本の導電バー１３にプラグイン端子４を嵌合させて用いられる。プラグインユニット１を導電バー１３に取り付ける際は、導電バー１３を基台２の溝３に嵌めて位置合わせし、両側の把手１０を持って押し込むことにより行う。そして、取付片８を３本の導電バー１３の両側に並設したレール１４に当接させ、レール１４に形成されたネジ孔１５に取付片８に挿通させた取付ネジ１６を螺着することにより固定する。また、プラグインユニット１を導電バー１３から取り外す際は取付ネジ１６を緩めた後、両側の把手１０を持って引き抜くことにより行う。
【実施例２】
【００１２】
本発明に係るプラグインユニットの実施例２を図３の添付図面に基づいて説明する。
【００１３】
プラグインユニット２１は基台２２の底面の短手方向に溝２３が形成され、溝２３の内側にはクリップ形状のプラグイン端子２４が設けられている。プラグイン端子２４は接続バー２５の一端が接続され、他端が基台２２の上面に取り付けられるブレーカ２６の電源側端子２７に接続され、接続バー２５によりプラグイン端子２４とブレーカ２６の電源側端子２７とが電気的に接続される。
【００１４】
また、基台２２の長手方向両端にはプラグインユニット２１を後述するレールに固定するための取付片２８が設けられ、取付片２８の側面から水平に突出して取付片２８との間に開口２９を有して手で握れるようにコ字状の把手３０が設けられている。
【００１５】
プラグインユニット２１は分電盤に配設された３本の導電バー３３にプラグイン端子２４を嵌合させて用いられる。プラグインユニット２１を導電バー３３に取り付ける際は、導電バー３３を基台２２の溝２３に嵌めて位置合わせし、両側の把手３０を持って押し込むことにより行う。そして、取付片２８を３本の導電バー３３の両側に並設したレール３４に当接させ、レール３４に形成されたネジ孔３５に取付片２８に挿通させた取付ネジ３６を螺着することにより固定する。また、プラグインユニット２１を導電バー３３から取り外す際は取付ネジ３６を緩めた後、両側の把手３０を持って引き抜くことにより行う。
【実施例３】
【００１６】
本発明に係るプラグインユニットの実施例３を図４の添付図面に基づいて説明する。
【００１７】
プラグインユニット４１は基台４２の底面の短手方向に溝４３が形成され、溝４３の内側にはクリップ形状のプラグイン端子４４が設けられている。プラグイン端子４４は接続バー４５の一端が接続され、他端が基台４２の上面に取り付けられるブレーカ４６の電源側端子４７に接続され、接続バー４５によりプラグイン端子４４とブレーカ４６の電源側端子４７とが電気的に接続される。
【００１８】
また、基台４２の長手方向両端にはプラグインユニット４１を後述するレールに固定するための取付片４８が設けられ、取付片４８の上面から垂直に突出して取付片４８との間に開口４９を有する逆Ｕ字状の把手５０が設けられている。把手５０は垂直部５０ａが基台２の短手方向両端から立ち上がり、水平部５０ｂがブレーカ４６の長手方向両端部の高さより高くなるようにして手で握れるように形成されている。また、水平部５０ｂには取付ネジ５６を締め付けるドライバーが挿通するための挿通孔５２が形成されている。
【００１９】
プラグインユニット４１は分電盤に配設された３本の導電バー５３にプラグイン端子４４を嵌合させて用いられる。プラグインユニット４１を導電バー５３に取り付ける際は、導電バー５３を基台２の溝４３に嵌めて位置合わせし、両側の把手５０を持って押し込むことにより行う。そして、取付片４８を３本の導電バー５３の両側に並設したレール５４に当接させ、レール５４に形成されたネジ孔５５に取付片４８の取付ネジ５６を螺着することにより固定する。また、プラグインユニット４１を導電バー５３から取り外す際は取付ネジ５６を緩めた後、両側の把手５０を持って引き抜くことにより行う。
【００２０】
なお、プラグインユニット４１に取り付けられたブレーカ４６の負荷側端子５７への配線は把手５０の開口４９を通して行う。
【実施例４】
【００２１】
本発明に係るプラグインユニットの実施例４を図５及び図６の添付図面に基づいて説明する。
【００２２】
プラグインユニット６１は基台６２の底面の短手方向に溝６３が形成され、溝６３の内側にはクリップ形状のプラグイン端子６４が設けられている。プラグイン端子６４は接続バー６５の一端が接続され、他端が基台６２の上面に取り付けられるブレーカ６６の電源側端子６７に接続され、接続バー６５によりプラグイン端子６４とブレーカ６６の電源側端子６７とが電気的に接続される。
【００２３】
また、基台６２の長手方向両端にはプラグインユニット６１を後述するレールに固定するための取付片６８が設けられ、取付片６８の側面から水平に突出する把手７０が設けられている。また、把手７０には引き出し把手７１が把手７０の上面から出没自在に設けられている。引き出し把手７１は外側方向に係止部７１ａが向けられたＬ字状の１対の脚部７１ｂと、脚部７１ｂを連結する連結部７１ｃとで成り、脚部７１ｂは把手７０に形成された挿通孔７０ａに挿通させて把手７０に取り付けられ、連結部７１ｃを持って引き出した際に係止部７１ａが把手７０の裏面に係止するようになっている。連結部７１ｃには引き出す際に指を誘うための凹部７１ｄが形成されている。
【００２４】
プラグインユニット６１は分電盤に配設された３本の導電バー７３にプラグイン端子６４を嵌合させて用いられる。プラグインユニット６１を導電バー７３に取り付ける際は、導電バー７３を基台６２の溝６３に嵌めて位置合わせし、両側の引き出し把手７１を収納した状態で両側の把手７０を持って押し込むことにより行う。そして、取付片６８を３本の導電バー７３の両側に並設したレール７４に当接させ、レール７４に形成されたネジ孔７５に取付片６８の取付ネジ７６を螺着することにより固定する。また、プラグインユニット６１を導電バー７３から取り外す際は取付ネジ７６を緩めた後、両側の引き出し把手７１を引き出し、連結部７１ｂを持って引き抜くことにより行う。
【００２５】
引き出し把手７１を設けたことにより、プラグインユニット６１の取り付け時には手のひらを当てる面積を広くとることができるので手が痛くならず、また、取り外し時には引き出し把手７１を引き出して握ることができるので力を入れやすく、取り付け、取り外し作業性が良い。
【図面の簡単な説明】
【００２６】
【図１】本発明の実施例１に係るプラグインユニットの斜視図である。
【図２】本発明の実施例１に係るプラグインユニットの正面図である。
【図３】本発明の実施例２に係るプラグインユニットの斜視図である。
【図４】本発明の実施例３に係るプラグインユニットの斜視図である。
【図５】本発明の実施例４に係るプラグインユニットの斜視図である。
【図６】本発明の実施例４に係るプラグインユニットを示し、（ａ）は把手を収納した状態の側面図、（ｂ）は把手を引き出した状態の側面図である。
【符号の説明】
【００２７】
１    プラグインユニット
２    基台
３    溝
４    プラグイン端子
５    接続バー
６    ブレーカ
７    電源側端子
８    取付片
１０    把手
１３    導電バー
１４    レール
１５    ネジ孔
１６    取付ネジ
【図１】
0005035897.tif 000002
【図２】
0005035897.tif 000003
【図３】
0005035897.tif 000004
【図４】
0005035897.tif 000005
【図５】
0005035897.tif 000006
【図６】
0005035897.tif 000007